(57)【要約】【課題】安価な構造で、再ロックしてしまうのを防止することができるロック装置、及び収納箱を得る。【解決手段】閉止状態の蓋１４を開状態にするには、ユーザは、プレート１８を押圧してプレート１８を、軸部材１８Ａを中心に回動させる。プレート１８を回動させると、止め部材３０が回転軸１８Ａを中心に回動し、これと同時に、止め部材３０の先端に形成されたフック部３６も回動する。フック部３６が回動すると、フック部３６と係止部４４とが非係止状態となる。そして、係止部４４は、係止状態から開放されたフック部３６と当接し、フック部３６が係止状態に移行する（再ロックする）のが防止される。このように、安価な構造で再ロックしてしまうのを防止することができる【選択図】図１
2011149159.tif 000002
【特許請求の範囲】
【請求項１】
本体に開閉可能に支持された蓋の自由端部側に回動可能に取付けられた操作部材と、
前記操作部材が定常姿勢となるように付勢力を前記操作部材に付与する付勢部材と、
前記操作部材の軸部から径方向へ突出する止め部材と、
前記本体に設けられ、前記操作部材を回動させて前記蓋を開放させるときに前記止め部材が係止状態から開放されることを許容すると共に、係止状態から開放された前記止め部材と当接して前記止め部材が係止状態に移行するのを防止するロック手段と、
を有するロック装置。
【請求項２】
前記本体には、前記蓋の自由端部をばね力で押し上げる開放手段が設けられている請求項１に記載のロック装置。
【請求項３】
前記操作部材は前記蓋に形成された開口部に納まるプレートで構成され、前記付勢部材の付勢力に対抗して、前記プレートの表面が前記蓋の表面に沿う前記プレートの定常姿勢に前記プレートを静止させる静止部が設けられる請求項１又は２に記載のロック装置。
【請求項４】
前記ロック手段は、前記本体に一端部が揺動可能に支持されたロック体と、前記ロック体の他端部から突設され、前記止め部材の先端部に形成されたフック部を係止する係止部と、前記係止部が前記フック部を係止する位置へ前記ロック体を付勢するばね部材と、前記ばね部材の付勢力に対抗して前記係止部が前記フック部を係止する位置で前記ロック体を止めるストッパー部と、を有し、
係止状態の前記フック部と当る前記係止部の当接面は、前記フック部で押された力を前記ロック体の揺動力に変えて前記フック部と前記係止部との係合が解除されるのを阻止する傾斜面又は曲面とされる請求項１〜３の何れか１項に記載のロック装置。
【請求項５】
前記操作部材の外表面と前記蓋の外表面とは同一面上に設けられる請求項１〜４何れか１項に記載のロック装置。
【請求項６】
請求項１〜５の何れか１項に記載されたロック装置を備えた収納箱。
【発明の詳細な説明】
【技術分野】
【０００１】
本発明は、ロック装置及びこのロック装置を備えた収納箱に関する。
【背景技術】
【０００２】
特許文献１に記載のロック装置には、ロック状態にあるロック部材と係止部材とのロック解除後、係止部材を備えた蓋体を押し開くスプリングが設けられている。つまり、このスプリングで蓋体を押し開くことで、ロック部材と係止部材とが再ロックしてしまうのを防止するようになっている。
【先行技術文献】
【特許文献】
【０００３】
【特許文献１】特開平１１−８１７８０号公報
【発明の概要】
【発明が解決しようとする課題】
【０００４】
しかしながら、従来の構成によると、再ロックを防止するためにスプリングを用いていたため、高価な構造となっていた。
【０００５】
本発明の課題は、安価な構造で、再ロックしてしまうのを防止することである。
【課題を解決するための手段】
【０００６】
本発明の請求項１に係るロック装置は、本体に開閉可能に支持された蓋の自由端部側に回動可能に取付けられた操作部材と、前記操作部材が定常姿勢となるように付勢力を前記操作部材に付与する付勢部材と、前記操作部材の軸部から径方向へ突出する止め部材と、前記本体に設けられ、前記操作部材を回動させて前記蓋を開放させるときに前記止め部材が係止状態から開放されることを許容すると共に、係止状態から開放された前記止め部材と当接して前記止め部材が係止状態に移行するのを防止するロック手段と、を有することを特徴とする。
【０００７】
上記構成によれば、付勢部材は、蓋の自由端部側に回転可能に取り付けられた操作部材が定常姿勢となるように操作部材に付勢力を付与する。本体に設けられたロック手段は、操作部材を回動させて蓋を開放させるときに止め部材を係止状態から開放する。そして、ロック手段は、係止状態から開放された止め部材と当接して止め部材が係止状態に移行するのを防止する。
【０００８】
このように、係止状態から開放された止め部材とロック手段とを当接させることで、止め部材が係止状態に移行するのを防止するため、スプリング等を用いることなく、安価な構造で再ロック（再係止）してしまうのを防止することができる。
【０００９】
本発明の請求項２に係るロック装置は、請求項１に記載において、前記本体には、前記蓋の自由端部をばね力で押し上げる開放手段が設けられていることを特徴とする。
【００１０】
上記構成によれば、本体に設けられた開放手段が、蓋の自由端部をばね力で押し上げる。つまり、操作部材を回動させて止め部材とロック手段とを非係止状態とすると、開放手段がばね力で蓋を押し上げる。
【００１１】
このように、蓋が開放手段のばね力で押し上げられるため、容易に止め部材とロック手段とが非係止状態にあるのが目視することができる。
【００１２】
本発明の請求項３に係るロック装置は、請求項１又は２に記載において、前記操作部材は前記蓋に形成された開口部に納まるプレートで構成され、前記付勢部材の付勢力に対抗して、前記プレートの表面が前記蓋の表面に沿う前記プレートの定常姿勢に前記プレートを静止させる静止部が設けられることを特徴とする。
【００１３】
上記構成によれば、静止部が、付勢部材の付勢力に対抗して、プレートの表面が蓋の表面に沿うプレートの定常姿勢にプレートを静止する。このように、静止部が、プレートの定常姿勢にプレートを静止することで、外観性能を向上させることができる。
【００１４】
本発明の請求項４に係るロック装置は、請求項１〜３の何れか１項において、前記ロック手段は、前記本体に一端部が揺動可能に支持されたロック体と、前記ロック体の他端部から突設され、前記止め部材の先端部に形成されたフック部を係止する係止部と、前記係止部が前記フック部を係止する位置へ前記ロック体を付勢するばね部材と、前記ばね部材の付勢力に対抗して前記係止部が前記フック部を係止する位置で前記ロック体を止めるストッパー部と、を有し、係止状態の前記フック部と当る前記係止部の当接面は、前記フック部で押された力を前記ロック体の揺動力に変えて前記フック部と前記係止部との係合が解除されるのを阻止する傾斜面又は曲面とされることを特徴とする。
【００１５】
上記構成によれば、本体に一端部が揺動可能に支持されたロック体の他端部から突設された係止部が、止め部材の先端部に形成されたフック部を係止する。そして、ばね部材は、係止部がフック部を係止する位置へロック体を付勢し、ストッパー部が、ばね部材の付勢力に対抗して係止部がフック部を係止する位置でロック体を止める。
【００１６】
さらに、傾斜面又は曲面とされた係止部の当接面が、蓋が開こうとして係止状態のフック部で押されると、この押された力をロック体の揺動力に変えてフック部と係止部との係合が解除されるのを阻止する。
【００１７】
このように、傾斜面又は曲面とされた当接面が、フック部と係止部との係合が解除されるのを阻止するため、フック部と係止部との係止状態が確実に維持される。
【００１８】
本発明の請求項５に係るロック装置は、請求項１〜４の何れか１項において、前記操作部材の外表面と前記蓋の外表面とは同一面上に設けられることを特徴とする。
【００１９】
上記構成によれば、操作部材の外表面と蓋の外表面は同一面上に設けられるため、外観性能を向上させることができる。
【００２０】
本発明の請求項６に係る収納箱は、請求項１〜５の何れか１項に記載されたロック装置を備えたことを特徴とする。
【００２１】
上記構成によれば、収納箱は、請求項１〜５の何れか１項に記載されたロック装置を備えている。これにより、蓋を本体から開放する際に、ロック装置が再ロックしてしまうのを防止することができる。
【発明の効果】
【００２２】
本発明によれば、安価な構造で、ロック装置が再ロックしてしまうのを防止することができる。
【図面の簡単な説明】
【００２３】
【図１】本発明の実施形態に係るロック装置を示した斜視図である。
【図２】本発明の実施形態に係るロック装置を示した斜視図である。
【図３】本発明の実施形態に係るロック装置を示した斜視図である。
【図４】本発明の実施形態に係るロック装置を示した斜視図である。
【図５】本発明の実施形態に係るロック装置を示した斜視図である。
【図６】本発明の実施形態に係るロック装置を示した斜視図である。
【図７】本発明の実施形態に係るロック装置を示した断面図である。
【図８】本発明の実施形態に係るロック装置を示した断面図である。
【図９】本発明の実施形態に係るロック装置を示した断面図である。
【図１０】本発明の実施形態に係る収納箱を示した斜視図である。
【図１１】本発明の実施形態に係る収納箱を示した斜視図である。
【図１２】本発明の実施形態に係る収納箱を示した斜視図である。
【図１３】本発明の実施形態に係る収納箱を示した斜視図である。
【発明を実施するための形態】
【００２４】
本発明の実施形態に係るロック装置及び収納箱の一例について図１〜図１３に従って説明する。なお、図中に示すＵＰは、鉛直方向上方を示す。
【００２５】
（全体構成）
図１０、図１１に示されるように、本実施形態に係る収納箱１０は、外部に開放された開口１２Ａを備える箱状の本体１２と、開口１２Ａを開閉する板状の蓋１４とを備えている。
【００２６】
詳細には、蓋１４の一端側は、軸部材１６により、本体１２の開口１２Ａを開閉可能なように軸支されており、蓋１４の自由端部側（他端側）には、ロック装置２４を構成すると共に、蓋１４に回転可能に取り付けられた矩形状のプレート１８が設けられている。プレート１８は、蓋１４に形成された開口部２０に納められており、蓋１４に回転可能に支持される回転軸１８Ａ（図１参照）を備えている。
【００２７】
（要部構成）
図１には、収納箱１０を下方（図１１で示す矢印Ａ方向）から見た図面が記載されている。図１に示されるように、プレート１８の回転軸１８Ａには、プレート１８の表面が蓋１４の表面に沿うプレート１８の定常姿勢となるように、プレート１８に付勢力を付与する付勢部材としての捩じりコイルばね２２が設けられている。
【００２８】
図８に示されるように、プレート１８の自由端部（回転軸１８Ａが設けられていない側の端部）には、コイルばね２２の付勢力に対抗して、プレート１８の表面が蓋１４の表面に沿うプレート１８の定常姿勢にプレート１８を静止させる平面状の静止部２６が設けられている。つまり、この静止部２６が、蓋１４の裏面と当接することで、コイルばね２２の付勢力で付勢されたプレート１８が定常姿勢で静止し、プレート１８が蓋１４から突出する方向には回動しないようになっている。
【００２９】
図１に示されるように、プレート１８の回転軸１８Ａから径方向に突出する止め部材３０が、プレート１８と一体的に形成されている。そして、この止め部材３０の先端部には、本体１２に固定されたロック手段３４と係合する一対のフック部３６が、回転軸１８Ａの軸方向（以下単に軸方向という）に突出して形成されている。
【００３０】
止め部材３０に形成されたフック部３６を係止するロック手段３４には、軸方向に並んで配置されと共に、一端部が軸部材３８により箱状のケース４０に回転可能に軸支された一対のロック体４２が設けられている。このケース４０が本体１２に固定されることで、ロック手段３４は本体１２に固定されている。
【００３１】
また、一対のロック体４２の他端部には、止め部材３０の先端部に形成されたフック部３６を係止する係止部４４が、互いに対向するように突設している。この構成により、一対のロック体４２は、軸部材３８を中心に揺動して、先端部に形成された係止部４４が近接又は離間するようになっている。
【００３２】
さらに、一対のロック体４２には、円孔４８Ａを備えた板状の板部４８が対向するように設けられている。
【００３３】
そして、対向して設けられる一対の板部４８を連結させ、一対の係止部４４が互いに近づくように付勢するばね部材としての圧縮コイルばね５０の両端部が、円孔４８Ａに係止されている。
【００３４】
また、対向する一対のロック体４２の間には、圧縮コイルばね５０の付勢力に対抗して
係止部４４がフック部３６を係止する位置でロック体４２を止めるストッパー部５４が設けられている。
【００３５】
さらに、係止状態のフック部３６と当る係止部４４の当接面４４Ａは、係止状態のフック部３６で押された力をロック体４２の揺動力に変えてフック部３６と係止部４４との係合が解除されるのを阻止する傾斜面とされている。
【００３６】
この構成により、フック部３６と係止部４４とが係止状態であるときに、プレート１８を捩じりコイルばね２２の付勢力に対抗して回動させると、止め部材３０が回転軸１８Ａを中心に回動し、止め部材３０から突設したフック部３６と係止部４４とが非係止状態（図２参照）となるようになっている。
【００３７】
そして、図２に示されるように、係止部４４の形状は、フック部３６が係止状態に移行するのを防止するために、係止状態から開放されたフック部３６と当接するように決められている。
【００３８】
これに対し、係止部４４における当接面４４Ａの反対側の押圧面４４Ｂは、開放された蓋１４を閉止する際に、フック部３６に押された力をロック体４２の揺動力に変えて一対の係止部４４を互いに離間させる傾斜面とされている。
【００３９】
この構成により、開放された蓋１４を閉止すると、フック部３６が係止部４４の押圧面４４Ｂを押圧し（図５、図６参照）、ロック体４２が揺動して係止部４４が互いに離間する。そして、フック部３６が係止部４４を乗り越えると、圧縮コイルばね５０の付勢力でフック部３６と係止部４４とは係止状態となるようになっている（図１参照）。
【００４０】
また、本体１２には、蓋１４の自由端部をばね力で押し上げる開放手段としての押上部材６０が設けられている。
【００４１】
詳細には、押上部材６０は、蓋１４の裏面から突設した突起部６８と当接する箱状の当接部６２と、先端部が当接部６２と接し、基端部が本体１２に支持される圧縮コイルばね６４とを備えている。
【００４２】
この構成により、プレート１８を回動させて、フック部３６と係止部４４とを非係止状態とすると、押上部材６０に備えられた圧縮コイルばねのばね力で蓋１４が押し上げられるようになっている。
【００４３】
（作用・効果）
次ぎに、収納箱１０の蓋１４を開閉させる動作について説明する。
【００４４】
開状態にある蓋１４を閉止状態にする場合には、図７、図１０に示されるように、開状態にある蓋１４をユーザが掴み、蓋１４を、軸部材１６を中心に矢印Ｂ方向に回動させる。蓋１４を回動させると、図４、図５に示されるように、止め部材３０に設けられたフック部３６が、係止部４４の押圧面４４Ｂを押圧する。
【００４５】
図６に示されるように、フック部３６が係止部４４の押圧面４４Ｂを押圧すると、一対の係止部４４が互いに離間するように、ロック体４２が揺動する。そして、図１、図８に示されるように、フック部３６が係止部４４を乗り越えると、圧縮コイルばね５０の付勢力でロック体４２が基の位置に復帰して、フック部３６と係止部４４とは係止状態となる。
【００４６】
フック部３６が係止部４４の押圧面４４Ｂを押圧すると同時に、蓋１４に設けられた突起部６８が、押上部材６０の当接部６２を押圧して、圧縮コイルばね６４を圧縮させる。つまり、圧縮コイルばね６４が圧縮された状態で、本体１２の開口１２Ａは、蓋１４によって閉止される。
【００４７】
次ぎに、閉止状態の蓋１４を開状態にするには、図９、図１２に示されるように、ユーザは、捩じりコイルばね２２の付勢力で定常状態に付勢されるプレート１８を押圧してプレート１８を、軸部材１８Ａを中心に回動させる。
【００４８】
図２に示されるように、プレート１８を回動させると、止め部材３０が回転軸１８Ａを中心に回動し、これと同時に、止め部材３０の先端に形成されたフック部３６も回動する。フック部３６が回動すると、フック部３６と係止部４４とが非係止状態となる。そして、係止部４４は、係止状態から開放されたフック部３６と当接し、フック部３６が係止状態に移行する（再ロックする）のが防止される。
【００４９】
また、図３、図１３に示されるように、押上部材６０に備えられた圧縮コイルばね６４のばね力で当接部６２が突起部６８を押圧し、蓋１４が押し上げられる。さらに、フック部３６が係止部４４を離間すると、プレート１８は、捩じりコイルばね２２の付勢力で定常姿勢に復帰する。
【００５０】
以上説明したように、係止状態から開放されたフック部３６と、係止部４４とを当接させることで、フック部３６が係止状態に移行するのを防止する。このため、安価な構造でフック部３６と係止部４４とが再ロック（再係止）してしまうのを防止することができる。
【００５１】
また、フック部３６が係止状態から開放されると、蓋１４が押上部材６０に備えられた圧縮コイルばね６４のばね力で押し上げられるため、容易にフック部３６と係止部４４とが非係止状態にあるのが目視することができる。
【００５２】
また、静止部２６を蓋１４の裏面と当接させることで、プレート１８の表面が蓋１４の表面に沿うプレート１８の定常姿勢にプレート１８が静止する。これにより、外観性能を向上させることができる。
【００５３】
また、係止状態のフック部３６と当る係止部４４の当接面４４Ａは、係止状態のフック部３６で押された力をロック体４２の揺動力に変えてフック部３６と係止部４４との係合が解除されるのを阻止する傾斜面とされている。このように、フック部３６と係止部４４との係合が解除されるのを阻止するため、フック部と係止部との係止状態を確実に維持することができる。
【００５４】
また、プレート１８を蓋１４に設置して、プレート１８の外表面と蓋１４の外表面とを同一面上とすることで、外観性能を向上させることができる。
【００５５】
また、プッシュプッシュ機構の様なオーバーストロークが必要ないため、蓋１４と本体１２との隙間を少なくすることができる。
【００５６】
なお、本発明を特定の実施形態について詳細に説明したが、本発明は係る実施形態に限定されるものではなく、本発明の範囲内にて他の種々の実施形態が可能であることは当業者にとって明らかである。例えば、上記実施形態では、図中に示された矢印ＵＰの方向を鉛直方向上方としたが、他の方向を鉛直方向上方としてもよい。
【００５７】
また、上記実施形態では、係止部４４の当接面４４Ａを傾斜面とすることで、係止状態のフック部３６で押された力をロック体４２の揺動力に変えてフック部３６と係止部４４との係合が解除されるのを阻止する構成としたが、特に傾斜面に限定されることなく、例えば、曲面等としてフック部３６と係止部４４との係合が解除されるのを阻止してもよい。
【００５８】
また、上記実施形態では、係止状態から開放されたフック部３６と、フック部３６と係止部４４とを当接させ、フック部３６が係止状態に移行するのを防止するように係止部４４の形状が決められていたが、特に係止部４４の形状に限定されることなく、フック部３６の形状を変えることで、フック部３６が係止状態に移行するのを防止してもよい。また、圧縮コイルばね５０のばね力を利用して、フック部３６か開放された後、一対の係止部３２を互いに近接するように所定距離移動させて係止状態から開放されたフック部３６と係止部４４とを当接させてもよい。
【符号の説明】
【００５９】
１０        収納箱
１２        本体
１４        蓋
１８        プレート（操作部材）
１８Ａ      回転軸
２０        開口部
２２        捩じりコイルばね（付勢部材）
２４        ロック装置
２６        静止部
３０        止め部材
３４        ロック手段
３６        フック部
４２        ロック体
４４        係止部
４４Ａ      当接面
５０        圧縮コイルばね（ばね部材）
５４        ストッパー部
６０        押上部材（開放手段）
【図１】
2011149159.tif 000003
【図２】
2011149159.tif 000004
【図３】
2011149159.tif 000005
【図４】
2011149159.tif 000006
【図５】
2011149159.tif 000007
【図６】
2011149159.tif 000008
【図７】
2011149159.tif 000009
【図８】
2011149159.tif 000010
【図９】
2011149159.tif 000011
【図１０】
2011149159.tif 000012
【図１１】
2011149159.tif 000013
【図１２】
2011149159.tif 000014
【図１３】
2011149159.tif 000015